(57)【要約】【課題】簡単な構成により、遊技盤面上に放たれる光の強度の減衰を招かず十分な電飾効果を得ることができるレール装置を提供すること。【解決手段】レール装置は、遊技盤面１上に配設され遊技領域４を画定するレール部２１と、レール部２１の高さ方向の端面２１ａにレール部２１の線状形状に沿うように設けられる柱状導光部２２と、柱状導光部２２の端面２２ｂから導光部２２内部に光を入射させる光源２８と、導光部２２の長手方向に沿って形成され、導光部２２の内部に入射した光を導光部２２の周面２２ａに向けて反射する光反射層２３とを備えて構成される。【選択図】図２
2004357770.tif 000002
【特許請求の範囲】
【請求項１】
遊技盤面上に配設され遊技領域を画定するレール部と、
該レール部の高さ方向の端面に該レール部の線状形状に沿うように設けられる柱状導光部と、
該柱状導光部の端面から該導光部内部に光を入射させる光源と、
前記導光部の長手方向に沿って形成され、該導光部の内部に入射した光を該導光部の周面に向けて反射する光反射層と
を備えることを特徴とする遊技機のレール装置。
【請求項２】
前記遊技盤面上に配設される遊技部品は、前記導光部を固定するための固定手段を兼ねることを特徴とする請求項１記載の遊技機のレール装置。
【請求項３】
前記レール部と前記導光部は、樹脂材料で一体に形成されていることを特徴とする請求項１記載の遊技機のレール装置。
【請求項４】
前記光源は、単色ＬＥＤ又はフルカラーＬＥＤからなることを特徴とする請求項１〜３のいずれか記載の遊技機のレール装置。
【発明の詳細な説明】
【０００１】
【発明の属する技術分野】
本発明は、パチンコ遊技機、アレンジボール等遊技機において、主に遊技盤面の遊技領域を画定するためのレール装置に関する。
【０００２】
【従来の技術】
通常の遊技機のレール装置は、図６に示すように、遊技盤面１上に配設された各々円弧線状の内側レール２と外側レール３とから構成され、遊技盤面１の上部に位置する外側レール３の一部と、内側レール２とで囲まれた領域によって遊技領域４を画定し、遊技盤面１の左部に位置する内側レール２の一部と、同じく遊技盤面１の左部に位置する外側レール３の一部との間は、発射装置（図示せず）により発射された遊技球を遊技領域４へと案内する案内通路５を構成している。
【０００３】
ところで、近年、遊技機により一層の電飾効果を取り入れ、視覚を通じて遊技者の興趣を高めようとする傾向がある。
【０００４】
しかし、上記の如きレール装置は、遊技盤面１の遊技領域４を画定するとともに案内通路５を構成するに止まり、電飾効果を発揮できないため、レール２，３の周囲が暗くなり、遊技機全体の電飾効果を損ねているという問題があった。
【０００５】
そこで、レール装置に電飾効果を取り入れ、遊技機全体の電飾効果を有効に発揮させようとする提案が従来からなされている（例えば、特許文献１、２参照）。ここで、特許文献２には、図７に示すように、内側レール２を透光性を有する材料で形成するとともに、遊技盤面１に埋設される内側レール２の基部２ｂに光ファイバ２９を収容する空間３０を設け、光ファイバ２９の周面から発せられた光を遊技盤面１上に放つよう構成したレール装置が開示されている。
【０００６】
【特許文献１】
特開２００１−１０４５５５公報
【特許文献２】
特開２００２−１６５９５１公報
【０００７】
【発明が解決しようとする課題】
しかし、図７図示のレール装置によると、光ファイバ２９の周面から発せられた光は、直接遊技盤面１上に放たれるのではなく、空間３０及び内側レール２のレール部２ｃを経て遊技盤面１上に放たれるため、強度が大幅に減衰した光が遊技盤面１上に放たれるようになり、十分な電飾効果を得ることが難しいという問題がある。
【０００８】
本発明は、上記のような従来技術の問題点を解決し、簡単な構成により、遊技盤面上に放たれる光の強度の減衰を招かず十分な電飾効果を得ることができるレール装置を提供することを目的とする。
【０００９】
【課題を解決するための手段】
請求項１に係る遊技機のレール装置は、遊技盤面上に配設され遊技領域を画定するレール部と、該レール部の高さ方向の端面に該レール部の線状形状に沿うように設けられる柱状導光部と、該柱状導光部の端面から該導光部内部に光を入射させる光源と、前記導光部の長手方向に沿って形成され、該導光部の内部に入射した光を該導光部の周面に向けて反射する光反射層とを備えることを特徴とする。
【００１０】
請求項１に係る遊技機のレール装置において、柱状導光部の端面から入射した光は、光反射層によって反射され導光部の周面から直接遊技盤面上に放たれるようになる。このため、強度の減衰を招かなくなり十分な電飾効果を得ることが可能になる。
【００１１】
通常、遊技盤面上には、サイドランプ、バックストップ（球戻り防止装置）など遊技部品が配設されており、このような遊技部品に導光部を固定するための固定手段を兼ねさせるようにすると、別個独立した固定手段を新たに設けなくて済み、部品点数の増加を招かない。
【００１２】
また、前記レール部と前記導光部を樹脂材料で一体に形成することにより、遊技盤面への組付作業が容易で安価なレール装置を提供することができる。
【００１３】
前記光源は、ＬＥＤ（発光ダイオード）が好ましく、単色ＬＥＤ、フルカラーＬＥＤのいずれのＬＥＤであってもよい。
【００１４】
【発明の実施の形態】
以下、本発明の実施形態を図面に基づいて説明する。
【００１５】
図１は、本発明の一実施形態に係るレール装置が組み込まれたパチンコ遊技機の遊技盤の正面図、図２は、図１図示ＩＩ−ＩＩ断面図、図３は、レール装置の固定部の断面図、図４は、図１図示ＩＶ部（発光部）の部分切欠正面図、図５は、図４図示Ｖ−Ｖ断面図をそれぞれ示している。
【００１６】
図１において、遊技盤面１上には、レール装置の構成要素となる各々円弧線状の内側レール２と外側レール３とが配設されており、内側レール２と遊技盤面１の上部に位置する外側レール３の一部とで囲まれた領域によって遊技領域４が画定され、また、遊技盤面１の左部に位置する内側レール２の一部と、同じく遊技盤面１の左部に位置する外側レール３の一部との間に、発射装置（図示せず）により発射された遊技球を遊技領域４へと案内する案内通路５が構成されている。
【００１７】
遊技盤面１には、各種遊技部品が配設されている。
【００１８】
つまり、遊技盤面１上には、遊技球に複雑な流れの落下運動を与えるための釘６、風車７や、遊技球が入球することを条件として大当たり（特別遊技状態）抽選の機会を発生させる始動入賞口８や、大当たり状態のとき所定ラウンド数だけ開口し、落下してきた遊技球の入球を容易にして多数の賞球の払出を実現させるための大入賞口９や、いずれの入賞口８，９にも入球しなかった遊技球を遊技盤面１の裏面側に排出するためのアウト口１０などが配設されている。また、遊技盤面１の中央部には、液晶表示器等からなり、各種の演出表示（遊技開始前のデモ表示、遊技中の図柄変動表示、リーチ演出表示、大当たり演出表示など）を行なう可変表示装置１１が配設されている。また、遊技盤面１の左部かつ上部には、遊技領域４内に案内されてきた遊技球が案内通路５側に戻るのを防止するための球戻り防止装置（バックストップ）１２が内側レール２の上端部内側に配設されている。また、遊技盤面１の左部には、電飾効果を発揮する左サイドランプ１３が内側レール２の内側近傍に配設され、遊技盤面１の右部には、同じく電飾効果を発揮する右サイドランプ１４が内側レール２の内側近傍に配設されている。また、遊技盤面１の上部には、外側レール３に設けられた切欠透光窓（図示せず）から遊技領域４を照射するためのレールランプ１５が外側レール３の外側近傍に配設されている。また、遊技盤面１の右部には、強い発射力によって遊技領域４内に案内されてきた遊技球を跳ね返す弾性部材１６を有する装飾部材１７が、内側レール２の上端部２ａと外側レール３の下端部３ａとの間の隙間を埋めつつ内側レール２の外側近傍に配設されている。さらに、遊技盤面１の左部には、装飾部材１８が外側レール３の外側近傍に配設されている。
【００１９】
内側レール２及び外側レール３は、図２及び図３に示すように、レール部２１と、このレール部２１の高さ方向の端面２１ａにレール部２１の線状形状に沿うように設けられた複数の柱状導光部２２と、導光部２２にその長手方向に沿って形成された帯状の光反射層２３とから構成される。レール部２１は金属材料からなる。導光部２２は、透光性を有する樹脂材料例えばアクリル樹脂、ポリカーボネート等からなり、略円形の断面形状を有し、射出成形又は押出成形により一体成形されている。光反射層２３は、導光部２２の周面２２ａにおいて、レール部２１の高さ方向の端面２１ａと対向する部位に形成されている。光反射層２３は、白色顔料又は散乱材など反射材料を混入させた塗料を用い、印刷方法によって導光部２２の周面２２ａに均一に塗布されている。塗料としては、熱硬化性樹脂又は粘着剤をバインダーとするものを用いる。印刷方法としては、例えばホットスタンプを挙げることができる。光反射層２３は、印刷方法以外の方法で導光部２２に形成してもよく、印刷方法以外の方法として、スプレー、テープ貼付等を挙げることができる。
【００２０】
内側レール２及び外側レール３において、その近傍に球戻り防止装置１２、左サイドランプ１３、右サイドランプ１４、レールランプ１５、装飾部材１７及び装飾部材１８が配設されている部分は、後述する発光部２４を除いて図３に示すように構成されている。つまり、球戻り防止装置１２など遊技部品２５に形成した凹部２５ａに、導光部２２が収容、固定され、固定部２６が構成されている。ここで、遊技部品２５において凹部２５ａを形成している部位に透光性をもたせることが好ましい。なぜならば、導光部２２の周面２２ａから放たれた光がこの部位で遮光されることなく遊技者の目に入るようになるからである。
【００２１】
図１図示ＩＶ部は、内側レール２及び外側レール３における発光部２４に対応している。発光部２４は、図４及び図５に示すように、プリント基板２７の先端部に光源２８を固定し、光源２８が発した光を導光部２２の端面２２ｂに入射させるよう構成されている。光源２８としては、単色ＬＥＤ又はフルカラーＬＥＤがサイズ、指向性などの点から好ましい。また、遊技状態に応じて光源２８の点滅パターンや色パターンを変化させることが好ましい。
【００２２】
上記のように構成される内側レール２及び外側レール３において、光源２８が発した光は、導光部２２の端面２２ｂから導光部２２内部に入射し、光反射層２３で反射されて導光部２２の周面２２ａから遊技盤面１上に放たれる。この光は、導光部２２から直接遊技盤面１上に放たれる光であるため、強度が強く、遊技者の視覚に鮮明な光となって映る。
【００２３】
以上説明したように、本実施形態に係るレール装置は、遊技盤面１上に配設され遊技領域４を画定するレール部２１と、レール部２１の高さ方向の端面２１ａにレール部２１の線状形状に沿うように設けられる柱状導光部２２と、柱状導光部２２の端面２２ｂから導光部２２内部に光を入射させる光源２８と、導光部２２の長手方向に沿って形成され、導光部２２の内部に入射した光を導光部２２の周面２２ａに向けて反射する光反射層２３とを備えて構成される。このため、柱状導光部２２の端面２２ｂから入射した光は、光反射層２３によって反射され導光部２２の周面２２ａから直接遊技盤面１上に放たれるようになる。したがって、強度の減衰を招かずに十分な電飾効果を得ることが可能になる。
【００２４】
また、サイドランプ１３，１４、球戻り防止装置１２など遊技部品に導光部２２を固定するための固定手段を兼ねさせるようにしたため、別個独立した固定手段を新たに設けなくて済み、部品点数の増加を招かない。
【００２５】
なお、レール部２１と導光部２２は樹脂材料で一体に形成するようにしてもよく、このような構成を採用した場合、遊技盤面１への組付作業が容易で安価なレール装置を提供することができる。
【００２６】
【発明の効果】
本発明の遊技機のレール装置によると、簡単な構成により、遊技盤面上に放たれる光の強度の減衰を招かず十分な電飾効果を得ることができるレール装置を提供することができる。
【図面の簡単な説明】
【図１】本発明の一実施形態に係るレール装置が組み込まれたパチンコ遊技機の遊技盤の正面図である。
【図２】図１図示ＩＩ−ＩＩ断面図である。
【図３】レール装置の固定部の断面図である。
【図４】図１図示ＩＶ部（発光部）の部分切欠正面図である。
【図５】図４図示Ｖ−Ｖ断面図である。
【図６】従来のレール装置が組み込まれたパチンコ遊技機の遊技盤の正面図である。
【図７】従来の他のレール装置の断面図である。
【符号の説明】
１    遊技盤面
２    内側レール（レール装置）
３    外側レール（レール装置）
４    遊技領域
１２    球戻り防止装置（遊技部品）
１３    左サイドランプ（遊技部品）
１４    右サイドランプ（遊技部品）
１５    レールランプ（遊技部品）
１７，１８    装飾部材
２１    レール部
２１ａ    端面
２２    柱状導光部
２２ａ    周面
２２ｂ    端面
２３    光反射層
２５    遊技部品
２８    光源
【図１】
2004357770.tif 000003
【図２】
2004357770.tif 000004
【図３】
2004357770.tif 000005
【図４】
2004357770.tif 000006
【図５】
2004357770.tif 000007
【図６】
2004357770.tif 000008
【図７】
2004357770.tif 000009